(57)【要約】【課題】混在する新旧エレベータ主制御盤の監視信号を新設・既設監視盤で監視する場合でも、エレベータ主制御盤を改造することなく、監視盤のリニューアル工事をスムーズに進めることにある。【解決手段】新・旧エレベータ主制御盤１，３内の新・旧監視盤用回路４，５と新設・既設監視盤６，７との間に監視信号変換装置８を着脱可能に設け、新・旧監視盤用回路４，５と既設・新設監視盤７，６とが対応関係にない場合、新・旧監視盤用回路４から出力される監視信号を処理可能な信号に変換し、既設・新設監視盤７，６に送出し、新・旧監視盤用回路４，５の監視信号を監視するエレベータリニューアルシステムである。【選択図】図１
2006103904.tif 000002
【特許請求の範囲】
【請求項１】
混在する複数台の新・旧エレベータ主監視制御装置から出力される対応エレベータ号機の運行状況信号（以下、監視信号と呼ぶ）をリニューアル前の既設監視盤及びリニューアル後の新設監視盤で監視するエレベータリニューアルシステムであって、
前記新・旧エレベータ主監視制御装置と前記新設・既設監視盤との間に着脱可能に監視信号変換装置を設け、
この監視信号変換装置は、前記新エレベータ主監視制御装置の新設用監視信号及び前記旧エレベータ主監視制御装置の既設側監視信号を取り込むインターフェース部と、これら新設側監視信号を前記既設監視盤の処理に対応する信号に変換し、また前記既設側監視信号を前記新設監視盤の処理に対応する信号に変換する信号変換部とを有し，
これら信号変換部で変換された新設側監視信号を前記既設監視盤により監視し、前記変換された既設側監視信号を前記新設監視盤で監視することを特徴とするエレベータリニューアルシステム。
【請求項２】
請求項１に記載のエレベータリニューアルシステムにおいて、
前記新エレベータ主監視制御装置と前記新設監視盤、前記旧エレベータ主監視制御装置と前記既設監視盤とをそれぞれ配線により直接接続することを特徴とするエレベータリニューアルシステム。
【請求項３】
混在する複数台の新・旧エレベータ主監視制御装置から出力される対応エレベータ号機の監視信号をリニューアル前の既設監視盤及びリニューアル後の新設監視盤で監視するエレベータリニューアルシステムであって、
前記新・旧エレベータ主監視制御装置と前記新設・既設監視盤との間に着脱可能に監視信号変換装置を設け、
前記監視信号変換装置は、前記新エレベータ主監視制御装置の新設用監視信号及び前記旧エレベータ主監視制御装置の既設側監視信号を取り込むインターフェース部と、これら新設側監視信号及び既設側監視信号を所定の信号に変換する信号変換部と、この変換された信号から対応エレベータ号機の運転状況を把握し、管制運転と判断した場合には管制運転制御を実施する管制運転制御部とを有し、
リニューアル工事期間中、前記新エレベータ主監視制御装置及び前記旧エレベータ主監視制御装置の管制運転を実施することを特徴とするエレベータリニューアルシステム。
【請求項４】
請求項３に記載のエレベータリニューアルシステムにおいて、
前記信号変換部は、前記新設側監視信号を前記既設監視盤の処理に対応する信号に変換し、また前記既設側監視信号を前記新設監視盤の処理に対応する信号に変換する場合、
前記既設監視盤は信号変換部で変換された新設側監視信号を監視し、前記新設監視盤は変換された既設側監視信号を監視することを特徴とするエレベータリニューアルシステム。
【請求項５】
請求項１ないし請求項４の何れか一項に記載のエレベータリニューアルシステムにおいて、
前記既設監視盤及び旧エレベータ主制御装置が全て新設監視盤及び新エレベータ主制御装置にリニューアルされた場合、前記監視信号変換装置を離脱することを特徴とするエレベータリニューアルシステム。
【発明の詳細な説明】
【技術分野】
【０００１】
本発明は、複数台の新旧エレベータ主制御盤が混在した状態で既設監視盤を新設監視盤にリニューアルするエレベータリニューアルシステムに関する。
【背景技術】
【０００２】
一般に、複数台の新旧エレベータ主制御盤が混在した状態で既設監視盤を新設監視盤にリニューアルする場合、新旧エレベータ主制御盤と新設・既設監視盤との対応関係をとりながら、既設監視盤を新設監視盤に切替えていくリニューアル工事を進めていく必要がある。すなわち、リニューアル実施時、旧エレベータ主制御盤と新エレベータ主制御盤とを混在させた状態で動作させつつ、表示盤に相当する監視盤を用いて、新旧エレベータ主制御盤の動作状態を監視しながらリニューアルを実施しなければならない。
【０００３】
しかしながら、先に既設監視盤を新設監視盤にリニューアルしてしまうと、旧エレベータ主制御盤の動作状態を新設監視盤で監視することができなくなる。
【０００４】
そこで、従来のエレベータリニューアルシステムでは、リニューアル工事の実施時、複数台の旧エレベータ主制御盤内に旧監視盤用回路の他に改造を施して新監視盤用回路を組み込むことが行われている。また、新旧エレベータ主制御盤の動作状態を監視する監視室には既設監視盤と新設新監視盤とが設置されている。さらに、既設監視盤及び新設監視盤と新旧エレベータ主制御盤の複数の旧監視用回路及び複数の新監視用回路とが配線で接続されている（特許文献１）。
【０００５】
そして、既設監視盤を新設監視盤にリニューアルする場合、旧エレベータ主制御盤内の旧監視盤用回路と既設監視盤とを接続し、リニューアル時に必要な旧エレベータ主制御盤の動作状態を監視する。しかる後、旧エレベータ主制御盤側に導入される前述した配線一端部を旧監視盤用回路から新監視盤用回路に切替え、また、監視盤側に導入されている配線他端部を既設監視盤から新設監視盤に切替え接続している。
【特許文献１】特開平８−３０１５５１号
【発明の開示】
【発明が解決しようとする課題】
【０００６】
従って、以上のようなエレベータリニューアルシステムでは、複数台の旧エレベータ主制御盤内にそれぞれ旧監視盤用回路の他に新監視盤用回路を組み込む改造工事を行う必要がある。また、複数の新旧監視盤用回路及び新設・既設監視盤の配線導入部分にそれぞれ切替え手段を設け、新旧エレベータ制御盤の動作状態を監視するときに配線導入部分の切替えを実施している。
【０００７】
従って、各エレベータ設備のリニューアル工事の都度、複数台の旧エレベータ主制御盤に新監視盤用回路を組み込む改造作業を行う必要があり、また旧エレベータ制御盤を新エレベータ制御盤に変えたとき、新たに付け加えた新監視盤用回路が無駄になる問題がある。
【０００８】
また、以上のようなエレベータリニューアルシステムでは、複数の新旧監視盤用回路及び新設・既設監視盤の配線導入部分にそれぞれ切替え手段を設け、リニューアル工事の実施時に機械室側の旧エレベータ制御盤内の旧・新監視用回路と監視室側の既設・新設監視盤の切替えとを対応付けしながら切替え作業を行う必要がある。その結果、切替えミスが生じ易く、前述したと同様にリニューアル作業が煩雑となる問題がある。
【０００９】
本発明は以上のような事情に鑑みてなされたもので、混在する新旧エレベータ主制御盤の監視信号を新設・既設監視盤で監視する場合でも、エレベータ主制御盤を改造することなく、監視盤のリニューアル工事をスムーズに進めるエレベータリニューアルシステムを提供することを目的とする。
【課題を解決するための手段】
【００１０】
上記課題を解決するために、本発明は、混在する複数台の新・旧エレベータ主監視制御装置から出力される対応エレベータ号機の監視信号をリニューアル前の既設監視盤及びリニューアル後の新設監視盤で監視するエレベータリニューアルシステムであって、
前記新・旧エレベータ主監視制御装置と前記新設・既設監視盤との間に着脱可能に監視信号変換装置を設け、この監視信号変換装置は、前記新エレベータ主監視制御装置の新設用監視信号及び前記旧エレベータ主監視制御装置の既設側監視信号を取り込むインターフェース部と、これら新設側監視信号を前記既設監視盤の処理に対応する信号に変換し、また前記既設側監視信号を前記新設監視盤の処理に対応する信号に変換する信号変換部とを有し，これら信号変換部で変換された新設側監視信号を前記既設監視盤により監視し、前記変換された既設側監視信号を前記新設監視盤で監視する構成である。
【００１１】
また、本発明は、混在する複数台の新・旧エレベータ主監視制御装置から出力される対応エレベータ号機の監視信号をリニューアル前の既設監視盤及びリニューアル後の新設監視盤で監視するエレベータリニューアルシステムであって、
前記新・旧エレベータ主監視制御装置と前記新設・既設監視盤との間に着脱可能に監視信号変換装置を設け、前記監視信号変換装置は、前記新エレベータ主監視制御装置の新設用監視信号及び前記旧エレベータ主監視制御装置の既設側監視信号を取り込むインターフェース部と、これら新設側監視信号及び既設側監視信号を所定の信号に変換する信号変換部と、この変換された信号から対応エレベータ号機の運転状況を把握し、管制運転と判断した場合には管制運転制御を実施する管制運転制御部とを有し、リニューアル工事期間中、前記新エレベータ主監視制御装置及び前記旧エレベータ主監視制御装置の管制運転を実施する構成である。
【発明の効果】
【００１２】
本発明によれば、混在する新旧エレベータ主制御盤の監視信号を新設・既設監視盤で監視する場合でも、エレベータ主制御盤を改造することなく、監視盤のリニューアル工事をスムーズに進めることができる。
【発明を実施するための最良の形態】
【００１３】
以下、本発明の実施の形態について図面を参照して説明する。
【００１４】
図１は本発明に係るエレベータリニューアルシステムの一実施の形態を示す構成図である。
【００１５】
同図において、１は新エレベータ主制御盤、２は工事中エレベータ、３は旧エレベータ主制御盤である。工事中エレベータ２を含む複数台のエレベータ主制御盤１，…、３，…は、各エレベータ号機に対応し、例えば昇降路上部の機械室（図示せず）に設置される。すなわち、リニューアル工事の実施時、新・旧エレベータ主制御盤１，…、２、３，が混在した状態で各エレベータ号機を運行制御する構成となっている。
【００１６】
複数台のエレベータ主制御盤のうち、各新エレベータ主制御盤１にはそれぞれ新監視盤用回路４が設けられ、また、各旧エレベータ主制御盤３にはそれぞれ旧監視盤用回路５が設けられている。各新監視盤用回路４及び各旧監視盤用回路５は対応するエレベータ号機の運行状況信号（以下、監視信号と呼ぶ）を出力する機能を有している。
【００１７】
また、６は新設監視盤、７は既設監視盤であって、例えば昇降路とは場所的に離れた監視室に設置される。これら新設・既設監視盤６，７は新・旧エレベータ主制御盤１，３の動作状態を監視する表示機能を備えたものである。
【００１８】
さらに、エレベータリニューアルシステムにおいては、各新・旧エレベータ主制御盤１、３内の新・旧監視盤用回路４，５と各新設・既設監視盤６，７との間には監視信号変換装置８が着脱可能に配置されている。
【００１９】
この監視信号変換装置８は、異なる機種間の監視信号をやり取りするための機能を有するインターフェース部９と信号変換部１０とが設けられている。インターフェース部９は、新・旧監視盤用回路４，４、５，５に対応するエリアを持つ信号格納部（図示せず）を有し、これら新・旧監視盤用回路４，４、５，５から出力される監視信号を対応するエリアに一時的に保存する機能をもっている。信号変換部１０は、インターフェース部９から受け取る所定の順序または識別データが付加された新監視盤用回路４からの監視信号を既設監視盤７で処理可能な信号に変換し、また旧監視盤用回路５から出力される監視信号を新設監視盤６で処理可能な信号に変換する機能を持っている。
【００２０】
さらに、このシステムにおいて、リニューアル工事の実施時、新エレベータ主制御盤１内の新監視盤用回路４と新設監視盤６とは配線により直接接続され、同様に旧エレベータ主制御盤３内の旧監視盤用回路５と既設設監視盤７とは配線により直接接続されている。なお、図中、実線矢印は新設監視盤６への接続経路を示し、点線矢印は既設監視盤７への接続経路を示している。
【００２１】
次に、リニューアル工事期間中におけるエレベータリニューアルシステムの動作について説明する。なお、リニューアル工事に際しては、混在する複数台の新・旧エレベータ主制御盤１，…、３，…を新設・既設監視盤６，７に対応させるために、２通りのリニューアル方法が考えられる。つまり、新設監視盤６に交換する場合と既設監視盤７をそのまま使用する場合とがある。
【００２２】
（１）  新設監視盤６に交換する場合について。
【００２３】
新設監視盤６に交換する場合とは、既設監視盤７を新設監視盤６に交換した場合である。新設監視盤６に交換した場合、新エレベータ主制御盤１内の新監視盤用回路４と新設監視盤６とが対応している。その結果、新監視盤用回路４からエレベータ号機の監視信号を出力すると、信号変換せずに図示実線矢印で示すように直接新設監視盤６に送られる。つまり、新設監視盤６は、新エレベータ主制御盤１で制御するエレベータ号機の運行状況を監視できる。
【００２４】
一方、旧エレベータ主制御盤３内の旧監視盤用回路５と交換した新設監視盤６とは対応していない。その結果、旧監視盤用回路５から出力される監視信号は信号変換しなければならない。  
そこで、旧監視盤用回路５から出力される監視信号は、監視信号変換装置８内のインターフェース部９に入力保存された後、所定の順序に従って監視信号を信号変換部１０に送出する。信号変換部１０は、監視信号の送出順序または識別データのもとに旧監視盤用回路５の監視信号が新設監視盤６に送出すると判断し、新設監視盤６で処理可能な信号に変換し、該当する新設監視盤６に送る。よって、新設監視盤６は旧監視盤用回路５からの監視信号を受け取ることにより、対応するエレベータ号機の運行状況を監視することが可能となる。
【００２５】
（２）  既設監視盤７をそのまま使用する場合について。
【００２６】
既設監視盤７をそのまま使用した場合、旧エレベータ主制御盤３内の旧監視盤用回路５と既設監視盤７とが対応している。その結果、旧監視盤用回路５から対応するエレベータ号機の監視信号を出力すると、信号変換せずに図示点線矢印で示すように直接既設監視盤７に送られる。つまり、既設監視盤７は、旧エレベータ主制御盤３で制御するエレベータ号機の運行状況を監視できる。
【００２７】
一方、新エレベータ主制御盤１内の新監視盤用回路４と既設監視盤５とは対応していない。そのため、新監視盤用回路４から出力される監視信号は信号変換しなければならない。  
そこで、新監視盤用回路４から出力される監視信号は、監視信号変換装置８内のインターフェース部９に入力保存され、所定の順序に従って信号変換部１０に送出する。信号変換部１０は、監視信号の送出順序または識別データのもとに新監視盤用回路４の監視信号を既設監視盤７に送出すると判断し、既設監視盤７で処理可能な信号に変換し、既設監視盤７に送る。よって、既設監視盤７は新監視盤用回路４から出力された監視信号から、対応するエレベータ号機の運行状況を監視することが可能である。
【００２８】
従って、以上のような実施の形態によれば、複数台の新・旧エレベータ主制御盤１，３と新設・既設監視盤６，７との間に監視信号変換装置８を着脱可能に設け、機種の異なる上位のエレベータ主制御盤１，３から監視信号を受けたときに下位の新設・既設監視盤６，７の処理に適する信号に変換し、該当する新設・既設監視盤６，７に入力する。その結果、混在状態にある複数台の新・旧エレベータ主制御盤１，３による運行状態を新設・既設監視盤６，７で同時に監視することができる。
【００２９】
また、従来のように旧エレベータ主制御盤３に新たに新監視盤用回路４を付加する改造を行う必要がなく、現地で監視信号変換装置８を着脱可能に設置するだけで直ちにリニューアル工事を実施でき、リニューアル工事をスムーズに進めることができる。また、既設監視盤６を新設監視盤７に交換した後、全てのエレベータ主制御盤をリニューアルした場合、監視信号変換装置８を撤去し、他の現場のリニューアル工事に再使用でき、監視信号変換装置８の有効活用を図ることができる。
【００３０】
さらに、旧エレベータ主制御盤３と既設監視盤７、とが対応関係にある場合、既設配線をそのまま使用でき、交換時期が短く、工期を短縮できる。
【００３１】
図２は本発明に係るエレベータリニューアルシステムの他の実施形態を示す構成図である。なお、同図において、図１と同一または等価な部分には同一符号を付し、その説明を省略する。
【００３２】
この実施の形態は、新・旧エレベータ主制御盤１，…、３，…内の新・旧監視盤用回路４，５と各新設・既設監視盤６，７との間に監視信号変換装置８を着脱可能に設ける点は図１と同様であるが、特に異なるところは管制運転制御機能を持った監視信号変換装置８ａを設けたことにある。なお、管制運転とは、火災発生時や地震発生時にエレベータ号機を予め定める避難階または最寄り階に急行し、乗客を降ろした後、休止する場合である。通常、火災発生時の場合には火災管制運転と呼ばれ、地震発生時には地震管制運転とも呼ばれている。
【００３３】
すなわち、この監視信号変換装置８ａは、インターフェース部９ａ及び信号変換部１０ａの他、新たに管制運転制御部１１を設けたものである。  
このエレベータリニューアルシステムの異なる点は、新設監視盤６の交換の有無に拘らず、全ての新・旧エレベータ主制御盤１，３内の新・旧監視盤用回路４，５の出力端をインターフェース部９ａに接続する。インターフェース部９ａは、新・旧監視盤用回路４，４、５，５に対応するエリアを持つ信号格納部（図示せず）を有し、これら新・旧監視盤用回路４，４、５，５から出力される監視信号を対応するエリアに一時的に保存する機能をもっている。信号変換部１０ａは、インターフェース部９から所定の順序または識別データのもとに受け取る新監視盤用回路４からの監視信号を既設監視盤７で処理可能な信号に変換し、また旧監視盤用回路５から出力される監視信号を新設監視盤６で処理可能な信号に変換する機能を有し、さらにインターフェース部９ａから入力される旧エレベータ主制御盤１，３内の新・旧監視盤用回路４，５からの監視信号を管制運転制御部１１で処理可能な信号に変換し、当該管制運転制御部１１に渡す。管制運転制御部１１は、新・旧監視盤用回路４，５からの監視信号から火災管制運転、地震管制運転等の管制運転と判断した場合、対応する各エレベータ号機に対して管制運転制御を実施する。
【００３４】
次に、リニューアル工事期間中におけるエレベータリニューアルシステムの動作について説明する。  
先ず、新・旧エレベータ主制御盤１，３の新・旧監視盤用回路４，５から監視信号を出力すると、これらの監視信号はインターフェース部９ａを介して信号変換部１０ａに送る。ここで、信号変換部１０ａは、新・旧監視盤用回路４，５から受け取る監視信号を所望の信号に変換し、管制運転制御部１１に渡す。この管制運転制御部１１は、変換された監視信号から新・旧エレベータ主制御盤１，３による運転状況を把握し、火災管制運転と判断した場合には火災管制運転制御を実施し、地震管制運転と判断した場合には地震管制運転制御を実施する。管制運転制御部１１は、各エレベータ号機に対して直接管制運転制御を実施するか、または該当する新・旧エレベータ主制御盤４，…、５，…に管制運転制御の指示を送出し、管制運転制御を実施させる方法であってもよい。
【００３５】
また、信号変換部１０ａは、新エレベータ主制御盤１の新監視盤用回路４と旧監視盤用回路５，旧エレベータ主制御盤３の新監視盤用回路５とを対応付けする場合には、前述した図１と同様な信号変換を実施し、新設・既設監視盤６，７に送出する。
【００３６】
従って、以上のような実施の形態によれば、図１で説明した実施の形態と同様の効果を奏する他、監視信号変換装置８ａに管制運転制御部１１を追加することにより、新・旧エレベータ主制御盤１，３からの監視信号から運転状態を把握し、各エレベータ号機に対する管制運転制御を実施することができる。
【００３７】
なお、本発明は、上記実施の形態に限定されるものでなく、その要旨を逸脱しない範囲で種々変形して実施できる。また、各実施の形態は組み合わせて実施することが可能であり、その場合には組み合わせによる効果が得られる。
【図面の簡単な説明】
【００３８】
【図１】本発明に係るエレベータリニューアルシステムの一実施の形態を示す構成図。
【図２】本発明に係るエレベータリニューアルシステムの他の実施の形態を示す構成図。
【符号の説明】
【００３９】
１…新エレベータ主制御盤、２…工事中エレベータ、３…旧エレベータ主制御盤、４…新監視盤用回路、５…旧監視盤用回路、６…新設監視盤、７…既設監視盤、８，８ａ…監視信号変換装置、９，９ａ…インターフェース部、１０，１０ａ…信号変換部、１１…管制運転制御部。
【図１】
2006103904.tif 000003
【図２】
2006103904.tif 000004